(57)【要約】【課題】  電池を消耗させずに自己診断処理を実行する、または外部電源から給電されていない状態でも自己診断の実行する端末および診断装置を提供する。【解決手段】  診断装置２から、コイル１０１を介してワイヤレス受電した無線通信端末１は、自己診断処理に関わる各機能ブロック部を起動し、自無線通信端末の自己診断処理を実行する。さらに、当該コイル１０１を介したワイヤレス通信を確立し、前記確立したワイヤレス通信を介して診断装置２に診断結果を送信する。【選択図】    図２
2015111749.tif 000002
【特許請求の範囲】
【請求項１】
自己診断機能を有する端末において、
近傍に存在する所定の診断装置からワイヤレス給電による電力を受電するワイヤレス受電手段と、前記ワイヤレス受電手段が電力を受電した場合または前記診断装置から自己診断に係るデータを受信した場合に自端末に備わる機能の一部または全ての正常性を自己診断する自己診断手段と、前記自己診断した結果に係る情報を前記診断装置へ送信する自己診断結果通知手段と、を有し、
前記自己診断手段およびまたは自己診断結果通知手段は、前記ワイヤレス受電手段が受電した電力により動作することを特徴とするワイヤレス給電による自己診断機能を有する端末。
【請求項２】
請求項１に記載の前記診断装置であって、
近傍に存在する前記端末へワイヤレス給電による電力を送電するワイヤレス送電手段と、前記端末から前記自己診断した結果に係る情報を受信する自己診断結果受信手段と、を有し、
前記自己診断結果受信手段が受信した前記自己診断した結果に係る情報を自装置に備わる表示部に表示することを特徴とする診断装置。
【発明の詳細な説明】
【技術分野】
【０００１】
本発明は、自己診断機能を有する端末および診断装置に関する。
【背景技術】
【０００２】
自端末が搭載している特定の機能が正常か否かを自己診断する端末の技術がある（例えば、特許文献１）。特許文献１には、端末が、特定のサーバからテスト要求信号を受信すると、受信したテスト要求信号の内容に応じて自端末が搭載している特定の機能を自己診断し、その診断結果をそのサーバへ送信する技術が記載されている。
【先行技術文献】
【特許文献】
【０００３】
【特許文献１】特開２００５−１０１７０４公報
【発明の概要】
【発明が解決しようとする課題】
【０００４】
しかしながら、特許文献１に記載されている自己診断に係る技術を、電池で動作する端末に適用した場合に、自己診断処理を実行する都度、電池が消耗してしまい、電池の寿命が短くなってしまうという問題がある。
【０００５】
また、外部電源（例えば、商用交流１００Ｖ）で動作する端末に適用した場合、その外部電源から給電されていない状態では自己診断ができないという問題がある。
【０００６】
本発明は、上記課題に対してなされたものであり、その目的は電池を消耗させずに自己診断処理を実行する、または外部電源から給電されていない状態でも自己診断の実行する端末および診断装置を提供することにある。
【課題を解決するための手段】
【０００７】
上記課題を解決するため、本発明は、自己診断機能を有する端末において、近傍に存在する所定の診断装置からワイヤレス給電による電力を受電するワイヤレス受電手段と、前記ワイヤレス受電手段が電力を受電した場合または前記診断装置から自己診断に係るデータを受信した場合に自端末に備わる機能の一部または全ての正常性を自己診断する自己診断手段と、前記自己診断した結果に係る情報を前記診断装置へ送信する自己診断結果通知手段と、を有し、前記自己診断手段およびまたは自己診断結果通知手段は、前記ワイヤレス受電手段が受電した電力により動作することを特徴とする。
【発明の効果】
【０００８】
本発明によれば、電池で動作する端末は、ワイヤレス給電により受電した電力で自己診断を実行するので、自己診断に係る電池消耗が無い。また、外部電源で動作する端末は、外部電源から給電されていない状態でも自己診断を実行することができる。
【図面の簡単な説明】
【０００９】
【図１】図１は、本発明の全体構成図である。
【図２】図２は、無線通信端末の機能ブロック図である。
【図３】図３は、診断装置の機能ブロック図である。
【図４】図４は、テスト項目テーブルを模式的に表した図である。
【図５】図５は、無線通信端末の動作フローチャートである。
【発明を実施するための形態】
【００１０】
以下、図を用いて本発明の実施形態について説明する。
【００１１】
図１は、本発明の無線通信端末１および診断装置２を含むシステムの全体構成図である。
【００１２】
図示するように本発明は、遠隔地にあるサーバ５が、家屋に設置されているガスメータ３が測定したガス流量を自動的に取得するガスメータ検針システムを例に説明する。
【００１３】
ガスメータ検針システムは、無線通信端末１と、診断装置２と、ガスメータ３と、ＡＰ４と、サーバ５とから構成される。
【００１４】
無線通信端末１は、電池動作する無線端末であって、ガスメータ３からガス流量を受信すると検針データに変換し、変換した検針データをＡＰ４を介してサーバ５に送信する（この処理を検針データ処理と呼称）。また、無線通信端末１は、診断装置２からワイヤレス受電すると、受電した電力から自己診断処理に係る機能を起動し、無線通信端末１と診断装置２の間でワイヤレス通信を確立する。そして、確立したワイヤレス通信を介して診断装置２から自己診断処理の開始を指示する旨の診断開始指示を受信すると、無線通信端末１は、ワイヤレス受電で受電した電力に応じた自己診断処理を実行し、自己診断処理の診断結果を診断装置２へ送信する。
【００１５】
尚、本発明の実施形態において、ワイヤレスで電力を送ることをワイヤレス送電、ワイヤレスで電力を受けることをワイヤレス受電、２つを総じてワイヤレス給電と称する。また、本発明の実施形態において、ワイヤレス給電の給電経路を用いて送電側と受電側との間でＮＦＣ（Ｎｅａｒ  Ｆｉｅｌｄ  Ｃｏｍｍｕｎｉｃａｔｉｏｎ）や電力線搬送等の通信方式に基づき、双方向通信を実現する（この双方向通信をワイヤレス通信と呼称）。
【００１６】
診断装置２は、ユーザから無線通信端末１の自己診断処理を要求する自己診断要求操作を受付けると無線通信端末１へワイヤレス送電するとともに、ワイヤレス通信を介して無線通信端末１に診断開始指示を送信する。また、診断装置２は、診断開始指示を送信した無線通信端末１から診断結果を受信すると自装置の表示部にこれを表示する。
【００１７】
ガスメータ３は、ガスの使用量を計測する計測器である。ガスメータ３は、計測したガス流量を定時的に無線通信端末１へ送信する。
【００１８】
ＡＰ４は、無線通信端末１と無線通信を行い、サーバ５との通信を中継する無線アクセスポイントである。
【００１９】
サーバ５は、無線通信端末１や図示しない複数の無線通信端末から受信した検針データを集計する集計サーバである。
【００２０】
図２は、無線通信端末１の機能ブロック図である。
【００２１】
無線通信端末１は、コイル１０１、受電部１０２、電力切替部１０３、電池１０４、電圧計測部１０５、自己診断処理部１０６、ワイヤレス通信制御部１０７、テスト項目記憶部１０８、アンテナ１０９、無線通信制御部１１０、検針データ制御部１１１、ガス流量受信部１１２、通信制御部１１３とから構成される。
【００２２】
コイル１０１は、診断装置２がワイヤレス送電した電力を受電するコイルである。
【００２３】
本発明の実施形態において、ワイヤレス給電は、送電側のコイルに発生する磁束を媒介として受電側のコイルに電力が誘起する電磁誘導方式とし、コイル１０１が受電した電力は交流電力である。尚、電磁誘導方式を用いた同じシステムとして、例えば、「Ｓｕｉｃａ」（登録商標）がある。コイル１０１は、ワイヤレス受電した電力を受電部１０２に送る。また、コイル１０１は、ワイヤレス通信する際の通信インターフェースも兼ねており、ワイヤレス通信に係る通信信号を検出すると検出した通信信号をワイヤレス通信制御部１０７に送信する。また、コイル１０１は、ワイヤレス通信制御部１０７から通信信号を受信すると、増幅して通信信号を送出する。
【００２４】
受電部１０２は、コイル１０１から送られてきた電力を、電源切替部１０３に送る。尚、このときコイル１０１から送られてきた電力は交流電力であり、受電部１０２は交流電力を直流電力に変換して送信する。
【００２５】
電源切替部１０３は、送電元の受電部１０２と電池１０４および送電先の各機能ブロック部と接続し、自己診断処理部１０６からの指示に応じて各機能ブロック部へ送電する電力を切替える。具体的には、電池１０４からの電力を送電する場合、電源切替部１０３は、検針データ処理に関わる機能ブロック部（アンテナ１０９、無線通信制御部１１０、検針データ制御部１１１、ガス量受信部１１２、通信制御部１１３）に送電する。また、受電部１０２からの電力を送電する場合、電源切替部１０３は、前述の検針データ処理に関わる機能ブロック部と自己診断処理に関わる各機能ブロック部（電圧計測部１０５、自己診断処理部１０６、ワイヤレス通信部１０７、テスト項目記憶部１０８）の双方に送電する。
【００２６】
電池１０４は、無線通信端末１を動作させるための電池であり、電池の電力を電力切替部１０３に送電する。
【００２７】
電圧計測部１０５は、受電部１０２の電圧値を測定して、測定した電圧値を自己診断処理部１０６に送信する。具体的に、無線通信端末１の全機能ブロック部と接続した場合の内部抵抗と等価な抵抗を受電部１０２または電池１０４に並列接続し、当該内部抵抗による電圧降下した際の電圧値を測定する。処理部であるる力送電処理部２０２への電話機
するるとをらいの２すす
【００２８】
ワイヤレス通信制御部１０７は、コイル１０１を介したワイヤレス通信の通信制御全般を行う。ワイヤレス通信制御部１０７は、コイル１０１から渡された通信信号をデータに復調して復調したデータを自己診断処理部１０６に送信する。また、ワイヤレス通信制御部１０７は、自己診断処理部１０６からデータを受信すると通信信号に変調して変調した通信信号をコイル１０１に送信する。
【００２９】
自己診断処理部１０６は、無線通信端末１の検針データ処理に関する自己診断処理の処理全般を行う。具体的に、ワイヤレス通信制御部１０７から受信したデータが、診断開始指示であった場合に、自己診断処理部１０６は、電圧計測部１０５から受電部１０２を計測した電圧値を取得し、後述するテスト項目決定方法に従い、テスト項目を決定する。テスト項目が決定されると、自己診断処理部１０６は、テスト項目のテスト内容に従って自己診断処理を実行し、診断結果を生成し、診断結果のデータをワイヤレス通信制御部１０７へ送信する。
【００３０】
テスト項目記憶部１０８は、テスト項目を決定するためのテスト項目テーブル１０８０を記憶する記憶部である。次に、図４のテスト項目テーブル１０８０を用いてテスト項目決定方法について説明する。
【００３１】
図４は、テスト項目テーブル１０８０の内容を模式的に表した図である。
【００３２】
図示するように、テスト項目テーブル１０８０は、自己診断処理を実行するテスト内容を記憶するテスト項目フィールド１０８１と当該テスト内容の自己診断処理を実行する際に必要な動作電圧の動作電圧フィールド１０８２とから構成される。また、テスト項目テーブル１０８０は、同時処理テストとブロック別テスト毎にレコード１０８３が登録され、動作電圧１０８０は当該テストを実行するのに最小限必要な電池電圧である。
【００３３】
ここでテスト内容は、検針データ処理に関わる機能ブロック部毎に準備されており、いずれかの機能ブロック部に電力を送電して当該機能ブロック部のみ自己診断処理を実行するブロック別テスト（アンテナ部テスト、無線通信制御部テスト、検針データ制御部テスト、ガス流量受信部テスト、通信制御部テスト）と検針データ処理に関わる機能ブロック部の全てに電力を送電し同時に全ての自己診断処理を実行する同時処理テストとに分かれる。
【００３４】
自己診断処理部１０６は、電圧計測部１０５から取得した受電部１０２の電圧値とテスト項目テーブル１０８０の動作電圧フィールド１０８２を比較し自己診断処理を実行することが可能なテスト項目を抽出する。
【００３５】
同時処理テストが可能な場合、自己診断処理部１０６は、同時処理テストの自己診断処理を実行し、実行した自己診断処理の実行結果から診断結果を生成する。同時処理テストが不可能な場合、自己診断処理部１０６は、テスト可能なブロック別テストを全て抽出し、抽出したブロック別テストを順に自己診断処理を実行し、抽出した全ての自己診断処理を実行すると実行結果から診断結果を生成する。同時処理テストおよびブロック別テストのいずれもが不可能な場合、自己診断処理部１０６は、テストが不可能な旨の診断結果を生成する。図２の説明に戻る。
【００３６】
アンテナ１０９は、ＡＰ４に検針データを送信するためのアンテナである。無線通信処理部１１０は、ＡＰ４に検針データを送信するための無線通信処理全般を行う。検針データ制御部１１１は、ガスメータ３から受信したガス流量を検針データに変換する処理を行う。ガス流量受信部１１２は、ガスメータ３のガス流量データを受信する。通信制御部１１３は、ガスメータ３からガス流を受信するための通信処理全般を行う。
【００３７】
また、アンテナ１０９〜通信制御部１１３は、自己診断処理部１０６からの要求に応じてブロック別テストの自己診断処理を実行し、実行結果を自己診断処理部１０６に送信する。
【００３８】
図３は、診断装置２の機能ブロック図である。
【００３９】
診断装置２は、入力部２０１と、端末制御部２０２と、送電部２０３と、コイル２０４と、ワイヤレス通信制御部２０５と、処理制御部２０６と、表示部２０７とから構成される。
【００４０】
入力部２０１は、操作キーなどの入力インターフェースであり、ユーザから無線通信端末１の自己診断要求操作を受付けると、端末制御部に送信する。
【００４１】
端末制御部２０２は、診断装置２の端末制御全般を行う。入力部２０１から自己診断要求操作を受信すると、受付けた自己診断要求操作を処理制御部２０６に送信する。また、処理制御部２０６から診断結果を受信すると、表示部２０７に送信する。
【００４２】
送電部２０３は、蓄電池等電力を蓄電する蓄電部である。送電部２０３は、処理制御部２０６からの指示に応じてワイヤレス送電のための電力をコイル２０４に送電を開始または停止する。
【００４３】
コイル２０４は、無線通信端末１へワイヤレス送電するためのコイルである。また、コイル２０４は、コイル１０１と同様にワイヤレス通信する際の通信インターフェースも兼ねており、ワイヤレス通信に係る通信信号を検出すると検出した通信信号をワイヤレス通信制御部２０５に送信する。また、コイル２０４は、ワイヤレス通信制御部２０５から通信信号を受信すると、増幅して通信信号を送出する。
【００４４】
ワイヤレス通信制御部２０５は、コイル２０４を介したワイヤレス通信の通信制御全般を行う。ワイヤレス通信制御部２０５は、コイル２０４から渡された通信信号をデータに復調して復調したデータを処理制御部２０６に送信する。また、ワイヤレス通信制御部２０５は、処理制御部２０６からデータを受信すると通信信号に変調してコイル２０４に送信する。
【００４５】
処理制御部２０６は、無線通信端末１の自己診断処理に関わる制御全般を行う。処理制御部２０６は、端末制御部２０２から自己診断要求操作を受信すると、送電部２０３へワイヤレス送電の開始を指示すると共に、診断開始指示のデータをワイヤレス通信制御部２０５へ送信する。また、処理制御部２０６は、ワイヤレス通信制御部２０５から、診断結果のデータを受信すると、送電部２０３へワイヤレス送電の停止を指示すると共に、端末制御部２０２へ診断結果を送信する。
【００４６】
表示部２０７は、ＬＣＤ等の表示部であり、端末制御部２０２から診断結果を受信すると、受信した診断結果に表示する。
【００４７】
図５は、無線通信端末１の動作フローチャートである。本フローは、無線通信端末１の電池１０４によって、電力が供給されている状態から開始する。尚、この時点では、自無線通信端末１の自己診断処理に関わる各機能ブロック部には電力が供給されていないものとする。
【００４８】
無線通信端末１は、ワイヤレス受電を検出するのを待つ（Ｓ１０１）。ワイヤレス受電を検出すると（Ｓ１０１、ＹＥＳ）、無線通信端末１は、ワイヤレス受電によって受電した電力を自無線通信端末１の自己診断処理に関わる各機能ブロック部へ送電し各機能を起動する（Ｓ１０２）。
【００４９】
次に、無線通信端末１は、ワイヤレス通信を介して診断装置２から診断開始指示を受信するのを待つ（Ｓ１０３）。診断開始指示を受信せずに一定時間が経過すると（Ｓ１０３、ＮＯ）、無線通信端末１は、自己診断処理に関わる各機能ブロック部への送電を停止し、ステップ１０１に戻る。
【００５０】
診断開始指示を受信した場合（Ｓ１０３、ＹＥＳ）、無線通信端末１は、受電した受電電圧を計測し、テスト項目決定方法に従いテスト項目を決定する（Ｓ１０４）。
【００５１】
決定したテスト項目が同時処理テストであった場合（Ｓ１０５、Ｙｅｓ）、無線通信端末１は、同時処理テストの自己診断処理を実行し（Ｓ１０６）、実行した実行結果から診断結果を生成して、ワイヤレス通信を介して診断装置２に送信する（Ｓ１０７）。
【００５２】
決定したテスト項目がブロック別テストであった場合（Ｓ１０８、Ｙｅｓ）、無線通信端末１は、決定したブロック別テストのテスト項目を全て抽出する（Ｓ１１０）。そして、無線通信端末１は、抽出したテスト項目のいずれか一つを選択し（Ｓ１１１）、当該テスト項目の自己診断処理を実行して（Ｓ１１２）、実行結果を記憶する（Ｓ１１３）。次に、無線通信端末１は、ステップ１１０で抽出した全てのテスト項目について自己診断処理を実行したか否かを判定する（Ｓ１１４）。抽出した全てのテスト項目について自己診断処理を実行していない場合（Ｓ１１４、ＮＯ）、次の未実行のテスト項目の何れかを選択して（Ｓ１１５）、ステップ１１２に移行して、全てのブロック別テストが完了するまで、自己診断処理の実行を繰り返す。
【００５３】
抽出した全てのテスト項目について自己診断処理を実行した場合（Ｓ１１４、Ｙｅｓ）ステップ１０７に移行して、記憶した実行結果から診断結果を生成して、ワイヤレス通信を介して診断装置２に送信する。
【００５４】
テスト項目をできない場合（Ｓ１０５、ＮｏかつＳ１０８、Ｎｏ）、無線通信端末１は、自己診断不可を実行結果として記憶し（Ｓ１０９）、ステップ１０７へ移行して記憶した実行結果から診断結果を生成して、ワイヤレス通信を介して診断装置２に送信する。
【００５５】
以上、本発明の実施形態について説明した。
【００５６】
本発明によれば、無線通信端末１は、受電部１０２が診断装置２からワイヤレス給電による電力を受電すると、電池切替部１０３は受電した電力を自己診断処理に関わる機能ブロック部である電圧計測部１０５、自己診断処理部１０６、ワイヤレス通信部１０７、テスト項目記憶部１０８に送電して各機能ブロック部を起動し、自己診断処理を実行して診断結果をワイヤレス通信で診断装置２へ送信する。これにより、無線通信端末１は、電池１０４を消耗することなく自己診断処理を実行し、診断結果を診断装置２に送信することができる。
【００５７】
なお、本実施形態において電池で動作する端末を例に説明したが、本発明はこれに限定しない。例えば、本発明を商用交流電源で動作する端末に適用してもよい。これによって、商用交流電源で動作する端末は、外部電源から給電されていない状態であっても自己診断処理を実行することができる。
【符号の説明】
【００５８】
１・・・無線通信端末
２・・・診断装置
３・・・ガスメータ
４・・・ＡＰ
５・・・サーバ
１０１・・・コイル
１０２・・・受電部
１０３・・・電力切替部
１０４・・・電池
１０５・・・電圧計測部
１０６・・・自己診断処理部
１０７・・・ワイヤレス通信制御部
１０８・・・テスト項目記憶部
１０９・・・アンテナ
１１０・・・無線通信制御部
１１１・・・検針データ制御部
１１２・・・ガス流量受信部
１１３・・・通信制御部
２０１・・・入力部
２０２・・・端末制御部
２０３・・・送電部
２０４・・・コイル
２０５・・・ワイヤレス通信制御部
２０６・・・処理制御部
２０７・・・表示部
【図１】
2015111749.tif 000003
【図２】
2015111749.tif 000004
【図３】
2015111749.tif 000005
【図４】
2015111749.tif 000006
【図５】
2015111749.tif 000007
【手続補正書】
【提出日】平成26年1月14日(2014.1.14)
【手続補正１】
【補正対象書類名】明細書
【補正対象項目名】００２７
【補正方法】変更
【補正の内容】
【００２７】
電圧計測部１０５は、受電部１０２の電圧値を測定して、測定した電圧値を自己診断処理部１０６に送信する。具体的に、無線通信端末１の全機能ブロック部と接続した場合の内部抵抗と等価な抵抗を受電部１０２または電池１０４に並列接続し、当該内部抵抗による電圧降下した際の電圧値を測定する。